(57)【要約】【課題】肘掛けパッド１０を肘掛基板９に取付けすることが簡単で、且つ肘掛けパッド１０の下端側の縁が肘掛基板９から剥がれることを効果的に防止する。【手段】肘掛けパッド１０は、インナー体１１と、その上面を覆うクッション体１２と、その上面及びその外周部並びにインナー体１１の外周部を覆う表装体１３とが備えられ、表装体１３の外周下面片３３はインナー体１１の外周部下面を覆うように内向きに屈曲形成され、インナー体１１の外周部の一対の長辺部には、下向きに突出する係合爪２５が適宜間隔にて複数設けられ、外周下面片３３には、各係合爪２５に係合する係合孔３４が形成され、各係合爪２５が各係合孔３４に係合した状態で、外周下面片３３がインナー体１１の外周部と肘掛基板９の上面とにより挟持し、肘掛基板９の上面に肘掛けパッド１０を取付ける。【選択図】図９
2011130978.tif 000002
【特許請求の範囲】
【請求項１】
肘掛支持杆上端に設けられた肘掛基板の上面に、肘掛けパッドが取付けられてなる椅子の肘掛け装置であって、
前記肘掛けパッドは、インナー体と、その上面を覆うクッション体と、このクッション体の上面及びその外周部を覆い、且つ前記インナー体の外周部を覆う表装体とが備えられ、
前記表装体の外周下面片は前記インナー体の外周部下面を覆うように内向きに屈曲形成され、
前記インナー体の外周部には、下向きに突出する係合爪が複数設けられ、
前記表装体の外周下面片には、前記各係合爪に係合する被係合部が形成されており、
前記各係合爪が前記各被係合部に係合した状態で、前記外周下面片が前記インナー体の外周部と前記肘掛基板の上面とにより挟持し、
前記肘掛基板の上面に前記肘掛けパッドを取付けたことを特徴とする椅子の肘掛け装置。
【請求項２】
前記インナー体は一対の短辺部とこの短辺部の寸法よりも長い一対の長辺部とを有し、
前記両長辺部には、その延びる方向に沿って、前記係合爪が適宜間隔にて複数設けられ、
前記表装体の外周下面片は前記一対の短辺部及び一対の長辺部とそれぞれ当接するように形成され、
前記外周下面片における前記一対の長辺部に対応する個所には、前記各係合爪に係合する前記被係合部としての係合孔が形成されていることを特徴とする請求項１に記載の椅子の肘掛け装置。
【請求項３】
前記肘掛基板の上面には、上向きの起立片が複数設けられ、この各起立片には係止爪が設けられ、
前記インナー体には、前記各起立片が貫通し、且つ前記係止爪が係止可能な被係止部が形成されていることを特徴とする請求項１または２に記載の椅子の肘掛け装置。
【請求項４】
前記係合爪は前記各被係止部よりも、前記インナー体の外径側に設けられていることを特徴とする請求項３に記載の椅子の肘掛け装置。
【発明の詳細な説明】
【技術分野】
【０００１】
本願発明は、肘掛支持杆の上端に形成された肘掛基板の上面に肘掛けパッドが取付けられた椅子の肘掛け装置に関するものである。
【背景技術】
【０００２】
従来からこの種の肘掛け装置は種々考案されている。そのうち、特許文献１では、前後に長い、平面視ほぼ長方形の肘掛基板の上面に取付けられる肘掛けパッドは、適度に弾性変形可能な硬質合成樹脂製の芯材（インナー体ともいう）とその表面と外周部とを覆う軟質合成樹脂製の表装材とより形成されている。そして、肘掛基板の外周部には周面に複数の係合孔を有する起立片と、その下端より外向きに延出し、上面に凹溝を有する縁片とが設けられている。他方、芯材の外周縁には、上記起立片に外嵌され、且つ内周面に上記係合孔に係合する係合爪を突設した下向片が連設されている。そして、この下向片の外周面と下端部とを上記表装材により覆い、下向片の下方の表装材の下端部を上記縁片の凹溝に嵌合している構成が開示されている。
【０００３】
他方、特許文献２では、前後に長い、平面視ほぼ長方形の肘掛基板の上面に取付けられる肘掛けパッドは、肘掛基板とほぼ同じ大きさの弾性変形可能な軟質合成樹脂製の芯材と、これと同じ大きさの発泡樹脂からなる所定厚さのクッション材と、その上面を覆うためのクッション材よりも薄肉で且つ適度の弾性を有するウレタン系エラストマーよりなるドーム状の表装材とからなる。肘掛基板の周縁部上面には、起立片とそれより外周側にて斜め上方に拡開する縁片と、この縁片と起立片と間にて周方向に連続して凹み形成される断面Ｖ字状の凹溝とを有している。上記起立片には複数個所に内外に連通する係合孔が設けられている。さらに、芯材の外周縁には、上記肘掛基板の起立片に外嵌される下向片が連設され、この下向片の内周面には、上記各係合孔に係合可能な複数の係合爪が内向きに突設されている。
【０００４】
上記起立片の外周面における各係合孔の上部には、上記係合爪をガイドすることにより、係合孔に上方より容易に係合させるための、外面が斜め内向き上方に傾斜するガイド溝が形成されている。
【０００５】
さらに、芯材の周縁部上面における前後両端の中央部には、クッション材の前後両端の中央部に形成された切欠溝が嵌合することにより、クッション材の前後左右の位置決めをする突部が上向きに突設されている。また、芯材の周縁部には、その型抜きを容易とするためと、周縁部を除く芯材の中央部が下方に撓み易くするための開口が、上方に開口するようにして多数設けられている。
【０００６】
表装材の外周縁には、芯材とクッション材の外周面を覆うカバー片が、その外周面と肘掛基板の縁片の外周面とが連続するように、斜め内向き下方に向かって折曲形成されている。カバー片の下端には、芯材の周端部下面を覆う内向折曲片と、その内端より垂下する垂下片とが一体的に連設されていることが開示されている。
【先行技術文献】
【特許文献】
【０００７】
【特許文献１】特開２００６−１０２１３１号公報（図２、図３及び図５等参照）
【特許文献２】特開２００８−１９４１２７号公報（図３〜図６参照）
【発明の概要】
【発明が解決しようとする課題】
【０００８】
特許文献１の構成によれば、肘掛けパッドを肘掛基板に取付けた状態では、表装材の外周部に環状の下端部が上記肘掛基板における縁片の凹溝に嵌合している。前記嵌合している表装材の下端部のうち一部のみが芯材における下向片の下端に複数箇所に設けられた係合爪により上記の凹溝の個所で挟まれている。しかしながら、特許文献１の構成によれば、係合爪は表装材の下向片の内面に設けられているから、ユーザの肘で肘掛けパッドの上面を大きい圧力で押さえつけると、表装材における長辺に沿う下端部の中途部が外径方向に膨らむような弾性変形が発生し易い。その場合、係合爪が肘掛基板の係合孔に対して外側に移動して外れ易い。また、芯材における下向片の下端に複数箇所に設けられた係合爪の部分のみが厚く、係合爪のない部分は薄く形成されているから（段落番号［００１３］参照）、表装材における長辺に沿う下端部のうち特に係合爪のない部分に対応する個所が上記凹溝から抜け出て剥がれ易い。また、ユーザが手で肘掛けパッドの長辺の中途部を掴んで持ち上げるときにも、表装材における長辺に沿う下端部が上記凹溝から抜け出て剥がれ易く、一旦凹溝から外れた表装材における長辺に沿う下端部を元の凹溝に嵌め入れることが困難であった。
【０００９】
他方、特許文献２の構成によれば、肘掛けパッドを肘掛基板に取付けした状態では、表装材のカバー片の下端に連設された垂下片が、肘掛基板のＶ字状断面の凹溝に嵌合されるとともに、上記縁片と、芯材の下向片の下面とにより内向折曲片が上下方向から挟持されていることになる。しかしながら、上記と同様、ユーザの肘で肘掛けパッドの上面を大きい圧力で押さえつけたり、ユーザが手で肘掛けパッドの長辺の中途部を掴んで持ち上げた場合に、表装材における内向折曲片の内面に設けられた係合爪がその内側の起立片に設けられた係合孔から外れ易く、且つ内向折曲片が凹溝から抜け出して剥がれ易いという問題は解消できなかった。
【００１０】
本願発明は、このような従来技術の問題を解決すべくなされたものである。
【課題を解決するための手段】
【００１１】
本願請求項１の発明は、肘掛支持杆上端に設けられた肘掛基板の上面に、肘掛けパッドが取付けられてなる椅子の肘掛け装置であって、前記肘掛けパッドは、インナー体と、その上面を覆うクッション体と、このクッション体の上面及びその外周部を覆い、且つ前記インナー体の外周部を覆う表装体とが備えられ、前記表装体の外周下面片は前記インナー体の外周部下面を覆うように内向きに屈曲形成され、前記インナー体の外周部には、下向きに突出する係合爪が複数設けられ、前記表装体の外周下面片には、前記各係合爪に係合する被係合部が形成されており、前記各係合爪が前記各被係合部に係合した状態で、前記外周下面片が前記インナー体の外周部と前記肘掛基板の上面とにより挟持し、前記肘掛基板の上面に前記肘掛けパッドを取付けたものである。
【００１２】
請求項２の発明は、請求項１に加えて、前記インナー体は一対の短辺部とこの短辺部の寸法よりも長い一対の長辺部とを有し、前記両長辺部には、その延びる方向に沿って、前記係合爪が適宜間隔にて複数設けられ、前記表装体の外周下面片は前記一対の短辺部及び一対の長辺部とそれぞれ当接するように形成され、前記外周下面片における前記一対の長辺部に対応する個所には、前記各係合爪に係合する前記被係合部としての係合孔が形成されているものである。
【００１３】
請求項３に記載の発明は、請求項１また２に記載の椅子の肘掛け装置において、前記肘掛基板の上面には、上向きの起立片が複数設けられ、この各起立片には係止爪が設けられ、前記インナー体には、前記各起立片が貫通し、且つ前記係止爪が係止可能な被係止部が形成されているものである。
【００１４】
請求項４に記載の発明は、請求項３に記載の椅子の肘掛け装置において、前記係合爪は前記各被係止部よりも、前記インナー体の外径側に設けられているものである。
【発明の効果】
【００１５】
請求項１に記載の発明によれば、表装体はクッション体とインナー体とを覆い、表装体における外周下面片はインナー体の外周部下面を覆うように内向きに屈曲形成され、外周下面片に形成された複数の被係合部に対して、インナー体の外周部に設けられた係合爪がそれぞれ上方から係合しているから、肘掛けパッドを肘掛基板に取付けした状態では、表装体が上方から押圧されて、当該表装体の外周部が外径側に膨れるように弾性変形したとしても、外周下面片は前記係合爪にて拘束されているので、肘掛基板の外周外側にずれることがない。従って、外周下面片が肘掛基板から抜け出して剥がれ易いという問題は解消できるのである。
【００１６】
請求項２の発明によれば、請求項１の発明による効果に加えて、前記インナー体は一対の短辺部とこの短辺部の寸法よりも長い一対の長辺部とを有し、前記両長辺部には、その延びる方向に沿って、前記係合爪が適宜間隔にて複数設けられ、前記表装体の外周下面片は前記一対の短辺部及び一対の長辺部とそれぞれ当接するように形成され、前記外周下面片における前記一対の長辺部に対応する個所には、前記各係合爪に係合する前記被係合部としての係合孔が形成されているものである。従って、表装体が上方から押圧された場合に、表装体の外周下面片のうち長辺部分が肘掛け基板の外周からはみ出て剥がれることを効果的に防止することができる。
【００１７】
請求項３の発明によれば、請求項１及び２の発明による効果に加えて、肘掛基板の上面には、上向きの起立片が複数設けられ、この各起立片には係止爪が設けられ、前記インナー体には、前記各起立片が貫通し、且つ前記係止爪が係止可能な被係止部が形成されているものであるから、ビス等の締着する別部品を使用することなく、ワンタッチで肘掛けパッドを肘掛基板に取付けすることができて、肘掛け装置の組み込み作業が至極簡単となるという効果を奏する。
【００１８】
請求項４の発明によれば、前記係合爪は前記各被係止部よりも、前記インナー体の外径側に設けられているものであるから、肘掛けパッドを組み立てる場合に、背の高い起立片が邪魔にならずに複数の係合爪を対応する被係合部（係合孔）に嵌め入れることができて、組み立て作業が至極簡単となるという効果を奏する。
【図面の簡単な説明】
【００１９】
【図１】第１実施形態に係る肘掛け装置付きの椅子の斜視図である。
【図２】肘掛け装置の分解斜視図である。
【図３】肘掛け支持杆と肘掛基板との斜視図である。
【図４】インナー体の上面側斜視図である。
【図５】インナー体の下面側斜視図である。
【図６】表装体の下面側斜視図である。
【図７】肘掛け装置の一部切欠き平面図である。
【図８】図７の VIII −VIII線矢視断面図である。
【図９】図８のIX−IX線で示す断面図である。
【図１０】図８のＸ−Ｘ線で示す断面図である。
【発明を実施するための形態】
【００２０】
次に、本願発明の実施形態を図面に基づいて説明する。図１〜図１０は第１実施形態を示しており、以下、順次説明する。なお、以下の説明で方向を示すため「前後」「手前」「後ろ」「左右」といった文言を使用するが、これらの文言は椅子に着座した人の姿勢を基準にしている。「正面視」は着座者と対向した方向から見た状態になる。
【００２１】
＜第１実施形態の概要＞
図１は椅子全体の前面側斜視図であり、まず、図１及び図３に基づいて概要を説明する。本実施形態の椅子は事務用のいわゆる回転椅子に適用しており、椅子は、主要要素として、脚装置１、座受け部２、座３、背もたれ４、肘掛け装置７を有している。
【００２２】
ガスシリンダより成る脚支柱６は従来から周知の構成の脚装置１の一部を構成するものであり、脚支柱６は、放射状に延びる複数本（一般に５本）の枝足を有する脚本体の中心部に嵌着されている。
【００２３】
肘掛け装置７は、オプション部品であり、座受け部２の側面または座３のアウターシェルの下面に基端が固定されて座３の側方に立設する肘掛支持杆８と、この肘掛支持杆８の上端に一体的に形成された肘掛基板９と肘掛けパッド１０とを備えている。肘掛基板９を含む肘掛支持杆８はＰＯＭ、ＰＰ等の硬質合成樹脂製の射出成形品であが、金属製であっても良い。
【００２４】
肘掛基板９は図２及び図３に示されるように、椅子の前後方向に長い一対の長辺部と、椅子の巾方向に短い一対の短辺部とを備えた平面視で実質的に矩形状を呈する。そして、肘掛基板９の後半部分の上面（表面）は実質的に平面状であり、前端部分は前方に行くに従って角度として約４０度程度下がるように湾曲形成されている（図２、図８参照）。
【００２５】
肘掛けパッド１０は、肘掛基板９と平面視で実質的に同じ大きさの板状のインナー体１１と、このインナー体１１とほぼ同じ大きさの発泡ウレタンや発泡ポリエチレン等の発泡樹脂材からなるクッション体１２と、その上面側を覆う表装体１３とからなる（図２、図４〜図６、図９及び図１０参照）。
【００２６】
インナー体１１は弾性変形可能な軟質合成樹脂製の板状に形成されている。クッション体１２の厚さはインナー体１１のそれよりも厚い。表装体１３は適度の弾性を有するエラストマーにて構成されている。表装体１３の厚さはインナー体１１のそれよりも薄く形成されている（図９及び図１０参照）。
【００２７】
肘掛基板９の上面のうち外周部は平面視で実質的に矩形環状の当接面１４が形成されている。肘掛基板９の上面のうち内周部は凹部１５であり、この凹部１５と当接面１４を有する外周部の内面とを連結するように、複数本のリブ１６が突設されている。また、凹部１５の底または当接面１４の内周面から複数の上向きの起立片１７が一体的に立設されている。起立片１７は肘掛基板９の一対の長辺部に沿って適宜間隔にて複数（実施例では１列につき５つ）設けられている。従って、実施例では、２列の起立片１７が長辺部に沿って形成されている。各起立片１７は上記長辺部に沿って延び短辺部方向に薄い板状である。各起立片１７の上端等には、肘掛基板９の外周に向かう係止爪１８がそれぞれ一体的に形成されている（図３参照）。
【００２８】
さらに、肘掛基板９の凹部１５のうち前後端部には、前端係止爪１９と後端係止爪２０とがそれぞれ一体的に上向きに突設されている。前端係止爪１９は前方を向き、後端係止爪２０は後方を向いている。
【００２９】
インナー体１１は肘掛基板９と同様に、一対の短辺部とこの短辺部の寸法よりも長い一対の長辺部とを有している。そして、肘掛基板９の上面（表面）に沿うようにインナー体１１の前端部分が前下りとなるように形成されている。
【００３０】
インナー体１１には、前記各起立片１７及び前端係止爪１９と後端係止爪２０とがそれぞれが貫通し、且つ各係止爪１８及び前端係止爪１９と後端係止爪２０がそれぞれ係止可能な窓孔２４付きの被係止部２１、２２、２３が形成されている（図４及び図５参照）。従って、被係止部２１、２２、２３はインナー体１１の上面のうち外径（外周）寄り部位に形成されていることになる。なお、係止爪１８に対する被係止部２１は、図１０に示すように、断面Ｖ字状等の屈曲形成されることで、弾性変形可能となっていることが好ましい。
【００３１】
また、インナー体１１の下面側には、上記被係止部２１、２２、２３よりも外径（外周）寄り部位に、係合爪２５が下向きに突出するように一体的に設けられている（図５参照）。係合爪２５はインナー体１１の一対の長辺部分に沿って適宜間隔にて複数設けられている。実施例では、係合爪２５はインナー体１１の長辺部の片側で９個数、両側で合計１８個となる。なお、図５に開示されているように、係合爪２５は、インナー体１１の外周よりの下面に形成された環状の肉厚の縁取り条２６の下面に設けられている。また、インナー体１１の平坦部から前下り部の間の縁取条２６の湾曲部は曲げ変形し易いように切欠き部２７が形成されている。さらに、各窓孔２４の外周縁下面に肉厚の縁取り条２８が一体的に形成されている。
【００３２】
表装体１３は、クッション体１２の上面及びその外周部を覆い、且つインナー体１１の外周部を覆うように、上面板部３１とその外周から下向きに延びる環状の周囲片３２とを備え、周囲片３２の下端から外周下面片３３がインナー体１１の外周部下面を覆うように内向きに屈曲形成されている（図６、 図９及び図１０参照）。
【００３３】
外周下面片３３は肘掛基板９の一対の短辺部及び一対の長辺部とそれぞれ当接するように形成されている。外周下面片３３には各係合爪２５に係合する被係合部の一例としての係合孔３４が形成されている（図６参照）。即ち、外周下面片３３のうち両長辺部には、その延びる方向に沿って、係合孔３４が適宜間隔にて複数設けられ、各係合孔３４に各係合爪２５が上方から係合可能となっている。
【００３４】
上記の構成により、まず、肘掛けパッド１０を組み立てる。そのためには、インナー体１１の上面にクッション体１２を方向及び位置決めして載置する。次いで、表装体１３の外周下面片３３を外側に広げ変形しつつ、上面板部３１の下面にクッション体１２が位置するようにインナー体１１と共に表装体１３の下面側に押し込む。次いで、インナー体１１の下面外周部（縁取条２６の下面側）における各係合爪２５を外周下面片３３の係合孔３４に嵌め入れる。これにより、インナー体１１の下面外周部である縁取条２６の下面が表装体１３の外周下面片３３に当接すると共に、外周下面片３３がインナー体１１の下面外周部から外れ難く、且つ位置ずれも無くなる。
【００３５】
次いで、肘掛基板９及び肘掛けパッド１０の前後方向を合わせた状態にして、当該肘掛けパッド１０をインナー体１１側から肘掛基板９の上面に接近させる。まず、肘掛基板９の前端係止爪１９をインナー体１１の前端の窓孔２４に嵌め入れ被係止部２２に係止させる。次いで、肘掛けパッド１０及び肘掛基板９の対応する一対の長辺部を上下で合わせながら接近させると、当該一対の長辺部における窓孔２４に起立片１７が順次嵌まり、その上端の係止爪１８が被係止部２１に係止できる。次いで、肘掛基板９の後端係止爪２０に窓孔２４を嵌め入れることで、後端係止爪２０とインナー体１１の被係止部２３とが係止できる。これらの場合、肘掛基板９の上面内径部分に凹部１５が形成されていることにより、インナー体１１等の撓み変形に対する余裕空間ができる。このようにして、肘掛けパッド１０を肘掛基板９の上面に外れ不能に取付けすることができる。
【００３６】
この状態では、インナー体１１における各係合爪２５が表装体１３の外周下面片３３における各係合孔３４に係合した状態となり（図９参照）、且つ、外周下面片３３がインナー体１１の外周部例えば縁取条２６と肘掛基板９の上面とにより挟持される（図１０参照）。この外周下面片３３が肘掛基板９の上面の外周部位である当接面１４に当接している。従って、その後、ユーザが肘等で表装体１３の上面板部３１を強く押下することにより、周囲片３２のうち長辺部が表装体１３の外径方向に膨らむように弾性変形したとしても、複数の下向きの係合爪２５と対応する係合孔３４との係合とにより外周下面片３３が拘束されていることになるので、周囲片３２の下端の外周下面片３３が横方向（外径方向）に位置ずれすることを完全に防止できる。それ故、表装体１３（特に外周下面片３３）が肘掛基板９の上面から剥がれることを効果的に防止することができる。
【００３７】
ユーザが手で表装体１３の周囲片３２のうち一対の長辺部を掴んで持ち上げるときにも、複数の下向きの係合爪２５と係合孔３４との係合とにより外周下面片３３が拘束されていることになるので、上記同様の作用効果を奏することができる。ひいては肘掛けパッド１０全体が肘掛基板９から外れないという効果を奏する。
【００３８】
この様な作用効果は、表装体１３の外周下面片３３のうち一対の長辺部に沿って適宜間隔で設けられる係合爪２５の数とその隣接する配置間隔、並びに係合爪２５の長辺部方向の長さ寸法（当然対応する係合孔３４の数とその隣接する配置間隔、並びに長辺部方向の長さ寸法）等に因ることになる。
【００３９】
なお、図８〜図１０に示すように、肘掛けパッド１０を肘掛基板９の上面に取り付けたとき、表装体１３における外周下面片３３が肘掛基板９の外周上面である当接面１４に平坦状に密接しているだけで、先行技術のように肘掛基板９に形成された凹溝に表装材の下端部を嵌合させるものではないので、肘掛基板９に対する肘掛けパッド１０の取付け作業も至極簡単であるという効果を奏する。
【００４０】
なお、肘掛けパッド１０を肘掛基板９の上面に取り付けする手段として、上記実施例のように、弾性変形可能な起立片１７の係止爪１８がインナー体１１における窓孔２４付き被係止部２１に係止する場合、係止爪１８の向きが肘掛基板９の内径方向に向かうよにし、従って、被係止部２１もインナー体１１の内径側に設けられていても良い。
【００４１】
さらに、肘掛基板９の下面側から挿通するビス（ボルト）をインナー体１１における雌ねじ部に螺合させて締着する手段であっても良い。
【００４２】
係合爪２５が各被係止部２１よりも、インナー体１１の外径側に設けられているものであるから、肘掛けパッド１０を組み立てる場合に、背の高い起立片１７が邪魔にならずに複数の係合爪２５を対応する被係合部に嵌め入れることができて、組み立て作業が至極簡単となるという効果を奏する。
【００４３】
外周下面片３３に設けられる被係合部は、外周下面片３３を上下に貫通する係合孔３４に代えて、貫通しないが適度の深さを有して係合爪２５が嵌まって位置ずれしない凹部としても良い。
【００４４】
本発明では、肘掛支持杆の形状が図示実施例のような側面視で三角形の二股条であっても良いし、一本支柱であっても良い。さらに、本発明では、肘掛けパッドを備えた肘掛基板が肘掛支持杆に対して昇降可能に構成された肘掛け装置に適用しても良い。
【符号の説明】
【００４５】
７  肘掛け装置
８  肘掛支柱
９  肘掛基板
１０  肘掛けパッド
１１  インナー体
１２  クッション体
１３  表装体
１４  当接面
１７  起立片
１８  係止爪
２１  被係止部
２４  窓孔
２５  係合爪
２６  縁取条
３１  上面板部
３２  周囲片
３３  外周下面片
３４  被係合部の一例としての係合孔
【図１】
2011130978.tif 000003
【図２】
2011130978.tif 000004
【図３】
2011130978.tif 000005
【図４】
2011130978.tif 000006
【図５】
2011130978.tif 000007
【図６】
2011130978.tif 000008
【図７】
2011130978.tif 000009
【図８】
2011130978.tif 000010
【図９】
2011130978.tif 000011
【図１０】
2011130978.tif 000012